(57)【要約】【課題】  発光素子を用いた表示装置において、外光を受けた時に、表外光の方が発光素子からの発光よりも強いと、視認性が著しく低下するという問題があった。【解決方法】  本発明は、光センサーを内蔵し、外光モニターをおこなうことによって外光の強度を検出する。強い外光が検出された時には表示装置のバックを黒バックとして、表示画像の視認性を向上させる。また、それに加えて表示画像の輝度を向上させることによってさらに視認性を向上させることが可能となる。【選択図】  図１
2006091857.tif 000002
【特許請求の範囲】
【請求項１】
基板上に複数の発光素子によって構成された表示画像と背景画像を表示する表示画面と、
外光を検出する光センサと、
前記光センサの出力に応じて、前記背景画像の輝度を制御するコントローラを有することを特徴とする表示装置。
【請求項２】
基板上に複数の発光素子によって構成された表示画像と背景画像を表示する表示画面と、
外光を検出する光センサと、
前記光センサの出力に応じて、前記背景画像の輝度及び前記表示画像の輝度を一緒に制御するコントローラを有することを特徴とする表示装置。
【請求項３】
基板上に複数の発光素子によって構成された表示画像と背景画像を表示する表示画面と、
外光を検出する光センサと、
前記光センサの出力に応じて、前記背景画像の輝度を制御する第１のコントローラと前記表示画像の輝度を制御する第２のコントローラを有することを特徴とする表示装置。
【請求項４】
請求項１乃至請求項３のいずれか一項において、外光の照度が高い場合の背景画像の画面輝度は、外光の照度が低い場合の背景画像の画面輝度より小さいことを特徴とする表示装置。
【請求項５】
請求項２または請求項３において、外光の照度が高い場合の表示画像の輝度は、外光の照度が低い場合の表示画像の輝度より大きいことを特徴とする表示装置。
【請求項６】
請求項１乃至請求項５のいずれか一項において、前記光センサは前記基板上に形成されていることを特徴とする表示装置。
【請求項７】
請求項１乃至請求項６のいずれか一項において、前記発光素子はマトリクス状に形成されていることを特徴とする表示装置。
【請求項８】
基板上に複数の発光素子によって構成された表示画像と背景画像を表示する表示画面と、
外光を検出する光センサと、
前記光センサの出力に応じて、前記背景画像の輝度を制御するコントローラを備えたことを特徴とする電子機器。
【請求項９】
基板上に複数の発光素子によって構成された表示画像と背景画像を表示する表示画面と、
外光を検出する光センサと、
前記光センサの出力に応じて、前記背景画像の輝度及び前記表示画像の輝度を一緒に制御するコントローラを備えたことを特徴とする電子機器。
【請求項１０】
基板上に複数の発光素子によって構成された表示画像と背景画像を表示する表示画面と、
外光を検出する光センサと、
前記光センサの出力に応じて、前記背景画像の輝度を制御する第１のコントローラと前記表示画像の輝度を制御する第２のコントローラを備えたことを特徴とする電子機器。
【請求項１１】
請求項７乃至請求項９のいずれか一項において、外光の照度が高い場合の背景画像の画面輝度は、外光の照度が低い場合の背景画像の画面輝度より小さいことを特徴とする電子機器。
【請求項１２】
請求項９または請求項１０において、外光の照度が高い場合の表示画像の輝度は、外光の照度が低い場合の表示画像の輝度より大きいことを特徴とする電子機器。
【請求項１３】
請求項８乃至請求項１２のいずれか一項において、前記光センサは前記基板上に形成されていることを特徴とする電子機器。
【請求項１４】
請求項８乃至請求項１３のいずれか一項において、前記発光素子はマトリクス状に形成されていることを特徴とする電子機器。
【発明の詳細な説明】
【技術分野】
【０００１】
本発明は、表示装置に関し、特に発光素子を有する表示装置に関する。また、発光素子を有する表示装置を含んだ電子機器に関する。
【背景技術】
【０００２】
近年、通信技術の進歩に伴って、携帯電話機が普及している。今後は更に携帯電話機を用いた動画の伝送やより多くの情報伝達が予想される。一方、パーソナルコンピュータ（ＰＣ）もその軽量化によって、モバイル対応の製品が生産されている。電子手帳に始まったＰＤＡと呼ばれる情報端末も多数生産され普及しつつある。また、表示装置の発展により、それらの携帯情報機器のほとんどにはフラットパネルディスプレイが装備されている。
【０００３】
また、アクティブマトリクス型の表示装置の中でも、近年、低温ポリシリコン薄膜トランジスタ（以下薄膜トランジスタをＴＦＴと表記する）を用いた表示装置の製品化が進められている。低温ポリシリコンＴＦＴを用いた場合、画素部の周囲に信号線駆動回路を画素部と同一基板上に形成することが可能であるため、表示装置の小型化や、高精細化が可能であり、今後はさらに普及が見込まれる。
【０００４】
携帯電話機では形状がバータイプのものから、折りたたみ型のものに代わってきている。このような折りたたみ型の携帯機器は図２（Ａ）のようになっている。折りたたみ型の携帯電話機は第１の筐体２０１、第２の筐体２０２、表示部２０３、スピーカー２０４、アンテナ２０５、ヒンジ２０６、操作キー２０７、マイク２０８によって構成されている（例えば、特許文献１参照。）。
【特許文献１】特開２００１−３２６７１０号公報
【発明の開示】
【発明が解決しようとする課題】
【０００５】
従来の発光素子を用いた携帯電話機では、太陽光などの強い外光を受けたときに、発光素子の発光が外光に負けてしまい、表示が見えなくなる問題があった。図２（Ｂ）に示すように強い外光においては、表示画面がほとんど黒としてユーザーに認識される。液晶を用いた表示装置では、反射型液晶表示装置を用いることによってこの問題を解決している。しかし、発光素子を用いた表示装置では原理的に同様な解決方法を適用することができないため問題となっていた。
【０００６】
以上のような問題を鑑み本発明では発光素子を用い、且つ、強い外光下においてもその表示が認識できる表示装置、およびそれらを用いた電子機器を提供することを課題とする。
【課題を解決するための手段】
【０００７】
本発明は、外光の強度すなわち周囲の明るさに応じて、発光素子を有する表示装置の表示画面の背景画像の明暗を切り換えて視認性を向上させることを要旨としている。すなわち、本発明は、外光の強度すなわち周囲の明るさを検出するセンサと、その検出結果に応じて表示画面の背景画像と、表示画像（表示する文字、図形、記号など）との明暗を適宜切り換えるコントローラとを備えた表示装置及びそれを用いた電子機器である。
【０００８】
本発明によれば、センサにより外光の強度を検出し、ある強度以上が検出された場合には、コントローラにより表示画面の背景画像を白地の背景から黒地の背景に近い暗いものとする。そして、コントローラにより表示画像を白または白に近い明るい表示とする。周囲の明るさに応じて表示画面の状態を切り換えることにより、表示画像をはっきりと映し出すことができる。また、表示を黒地の背景に近い暗いものとして、表示する文字、図形、記号などを白または白に近い明るい表示とすることによって、明るく発光する画素の数が少なくなるので、表示に必要な電力をその画素に集中させることができる。それによって、さらに表示画面の視認性を向上させることができる。
【０００９】
基板上に複数の発光素子によって構成された表示画像と背景画像を表示する表示画面と、外光を検出する光センサと、光センサの出力をに応じて、背景画像の輝度を制御するコントローラを有することを特徴とする。
【００１０】
基板上に複数の発光素子によって構成された表示画像と背景画像を表示する表示画面と、外光を検出する光センサと、光センサの出力に応じて、背景画像の輝度及び表示画像の輝度を一緒に制御するコントローラを有することを特徴とする。
【００１１】
基板上に複数の発光素子によって構成された表示画像と背景画像を表示する表示画面と、外光を検出する光センサと、光センサの出力に応じて、背景画像の輝度を制御する第１のコントローラと表示画像の輝度を制御する第２のコントローラを有することを特徴とする。
【００１２】
外光の照度が高い場合の背景画像の画面輝度は、外光の照度が低い場合の背景画像の画面輝度より小さいことを特徴とする。
【００１３】
外光の照度が高い場合の表示画像の輝度は、外光の照度が低い場合の表示画像の輝度より大きいことを特徴とする。
【００１４】
光センサは基板上に形成されていることを特徴とする。
【００１５】
基板上に複数の発光素子によって構成された表示画像と背景画像を表示する表示画面と、外光を検出する光センサと、光センサの出力に応じて、背景画像の輝度を制御するコントローラを備えたことを特徴とする。
【００１６】
基板上に複数の発光素子によって構成された表示画像と背景画像を表示する表示画面と、外光を検出する光センサと、光センサの出力に応じて、背景画像の輝度及び表示画像の輝度を一緒に制御するコントローラを備えたことを特徴とする。
【００１７】
基板上に複数の発光素子によって構成された表示画像と背景画像を表示する表示画面と、外光を検出する光センサと、光センサの出力に応じて、背景画像の輝度を制御する第１のコントローラと表示画像の輝度を制御する第２のコントローラを備えたことを特徴とする。
【００１８】
外光の照度が高い場合の背景画像の画面輝度は、外光の照度が低い場合の背景画像の画面輝度より小さいことを特徴とする。
【００１９】
発光素子はマトリクス状に形成されていることを特徴とする。
【００２０】
上記において、外光の照度が３０００ルクス以上の場合の背景画像の輝度は、外光の照度が３０００ルクスより小さい場合の背景画像の輝度より小さいことが好ましい。すなわち、周囲が明るい場合における表示画面の背景画像は、周囲が暗い場合における表示画面の背景画像より輝度が小さくなる制御を行うコントローラを備えていることが好ましい。
【００２１】
上記において、外光の照度が３０００ルクス以上の場合の表示画像の輝度は、外光の照度が３０００ルクスより小さい場合の表示画像の輝度より大きいことが好ましい。すなわち、周囲が明るい場合における表示画面の文字、図形、記号などは、周囲が暗い場合における表示画面の文字、図形、記号などより輝度が大きくなる制御を行うコントローラを備えていることが好ましい。
【００２２】
上記において、光センサは発光素子と同一基板上に形成されていることが好ましい。
【発明の効果】
【００２３】
以上によって、強い外光がある環境においては、画面の背景を黒地とし、表示画像を白表示することによって、ユーザーが表示認識しやすい表示装置が達成でき、強い外光下で視認性の高い電子機器を実現することができる。また、画面の背景を黒地とし、表示画像を白表示することによって、電力を表示画像を表示するための発光素子に集中することが可能になり、さらなる視認性をえることができる。
【発明を実施するための最良の形態】
【００２４】
図３に本発明の実施形態を示す。図３は本発明を用いた表示装置のブロック図である。本実施形態の表示装置３００は、コントローラ３０１、メモリ３０２、光センサ３０３、アンプ３０４、電源３０５、パネル３０６によって構成されている。コントローラ３０１は外部から入力される制御信号、映像信号によってパネル３０６に必要な信号を生成する。メモリ３０２は主として映像信号を一時的に記憶するために用いられるが、それ以外に用いてもよい。光センサ３０３は外光（表示装置３００の外部の光）を検出する。アンプ３０４は光センサ３０３の出力信号を増幅し、コントローラ３０１に送るものであるが、光センサ３０３の出力信号が十分大きければ無くともよい。電源３０５はパネル３０６に必要な電圧または電流を供給するものである。パネル３０６は発光素子を用いたもので、エレクトロルミネセンス（ＥＬ）素子を用いたものやＦＥＤ（フィールドエミッションディスプレイ）でも良い。
【００２５】
光センサ３０３が強い外光を受けるとアンプ３０４を介して、その出力信号はコントローラ３０１に送られる。コントローラ３０１は信号強度に応じて、信号をパネル３０６に送り出し、パネル３０６の背景画像の輝度または色を変える。
具体的には、外光が弱い場合には、背景画像は白またはそれに近い明るい色とし、表示画像を黒またはそれに近い暗い色とする。外光が強くなった場合には、背景画像は黒またはそれに近い暗い色とし、表示画像を白またはそれに近い明るい色とする。
【００２６】
また、外光が強い場合には、背景画像が黒となるため、背景画像を表示するための発光電力は低下する。この電力の低下分を表示画像の表示にまわして、表示画像の輝度を上げることができる。このようにして、さらに強外光時の視認性を上げることが可能となる。
このようなときには、コントローラ３０１より電源３０５に輝度を上昇させる制御信号を送ることによって、輝度上昇が可能になる。なお、コントローラ３０１は少なくとも１つ以上のコントロール回路を合わせたものからなってもよい。
【００２７】
図１に本発明の表示装置を用いた携帯電話機の実施形態を示す。図１（Ａ）に示す携帯電話機は第１の筐体１０１、第２の筐体１０２、表示画面１０３、スピーカー１０４、アンテナ１０５、ヒンジ１０６、操作キー１０７、マイク１０８、光センサ１０９、基板１１０より構成されている。本発明の表示装置は第１の筐体１０１の中に装着されている。なお、図１では表示画面１０３と光センサ１０９が基板１１０に形成されているが、同一基板上に形成しなくてもよい。
【００２８】
図１（Ａ）は外光が弱い場合の表示を示している。表示画面１０３においては白地の背景画像に黒文字が表示されている。外光が弱い場合、目の感度は表示画面の発光輝度に合わされる。外光が強い場合は白地の背景画像が外光に負けてしまうので、光センサ１０９において、外光の強度を検出し、背景画像を図１（Ｂ）に示すように黒地に変更する。このように背景画像を黒にすることにより、発光部分の面積を削減できる。そして少ない白の表示部分に、電力を集中することによって、白の部分をよりはっきりと表示することが可能となる。なお、本明細書において強い外光とは３０００ルクス以上（好ましくは５０００ルクス以上）の光のことである。
【００２９】
本実施形態においては、携帯電話機について示したが、本発明はそれらに限定されず、ＰＤＡ（Ｐｅｒｓｏｎａｌ  Ｄｉｇｉｔａｌ  Ａｓｓｉｓｔａｎｔ）、ビデオカメラ、デジタルカメラ、携帯型ＤＶＤ（Ｄｉｇｉｔａｌ  Ｖｅｒｓａｔｉｌｅ  Ｄｉｓｃ）、携帯型テレビジョン、ゲーム機器、コンピュータなど様々な表示装置を用いる電子機器に使用が可能である。
【実施例１】
【００３０】
図４に時間階調方式の発光装置の画素例を示す。図４（Ａ）は発光素子４０３を時間階調で駆動する画素を示している。この画素は発光素子４０３、駆動ＴＦＴ４０２、保持容量４０４、対向電極４０５、スイッチングＴＦＴ４０１によって構成されている。スイッチングＴＦＴ４０１のゲートはゲート信号線Ｇ１に接続され、ゲート信号線Ｇ１がハイになるとスイッチングＴＦＴ４０１はオンして、ソース信号線Ｓ１のデータを保持容量４０４と駆動ＴＦＴ４０２のゲートに書き込む。駆動ＴＦＴ４０２がオンすると電源供給線Ｖ１より電流が駆動ＴＦＴ４０２を介して発光素子４０３に流れる。この状態は次の書き込みがおこなわれるまで保持される。また、発光素子４０３は対向電極４０５に接続されている。
【００３１】
なお本明細書において接続とは、電気的な接続を意味する。
【００３２】
図４（Ｂ）は時間階調のタイミングチャートを示したものである。この例では４ビットを例にとり説明を行うが、４ビットに限定されるものではない。１フレームは４つのサブフレームＳＦ１〜ＳＦ４によって構成されている。それぞれのサブフレームはアドレス期間（書き込み期間）Ｔａ１〜Ｔａ４とサスティン期間（点灯期間）Ｔｓ１〜Ｔｓ４によって構成される。サスティン期間Ｔｓ１：Ｔｓ２：Ｔｓ３：Ｔｓ４＝８：４：２：１にすることによって、サスティン期間に各ビットが対応し、時間階調が可能になる。このとき、アドレス期間は点灯をおこなわず、アドレッシングのみをおこなっている。
【００３３】
このような時間階調方式の駆動を行うためにはサブフレームを生成するためのコントロール回路とメモリ回路が必要となる。図６にコントロール回路とメモリ回路を示す。この例では４ビットのデジタルビデオ信号をサブフレーム変換しているが、特に４ビットには限定されない。以下に動作を説明する。まずコントロール回路６０２はデジタルビデオ信号をスイッチ６０３を介して、メモリＡ６０４に入力する。第１フレームのデータが全てメモリＡ６０４に入力されると、スイッチ６０３をメモリＢ６０５に切り換え、第２フレームのデジタルビデオ信号を書き込んでいく。
【００３４】
一方、スイッチ６０６は第２フレームのデジタルビデオ信号を書き込んでいく間にメモリ６０４＿１〜６０４＿４に順次接続され、メモリＡ６０４に蓄えられた信号をディスプレイ６０１に入力する。そして、第２フレームのデータが全てメモリＢ６０５に入力されると、スイッチ６０３をメモリＡ６０４に切り換え、第３フレームのデジタルビデオ信号を書き込んでいく。また、スイッチ６０６は第３フレームのデジタルビデオ信号を書き込んでいく間にメモリ６０５＿１〜６０５＿４に順次接続され、メモリＢ６０５に蓄えられた信号をディスプレイ６０１に入力する。以上を繰り返すことによりサブフレームを形成できる。
【実施例２】
【００３５】
図７は信号を反転することによって明暗を反転した画像を作り出す手段の例である。この手段によって、白地の背景画像に対して黒地の表示画像、または黒地の背景画像に対して白地の表示画像を表示することが可能である。映像信号選択スイッチ７０６から出力された信号はスイッチ７０７に入力され、映像信号選択スイッチ７０６からの信号がそのままディスプレイ７０１に入力されるか、反転して入力されるかを選択できる。明暗反転が必要な場合には反転して入力をおこなえばよい。この選択はディスプレイコントローラによっておこなわれる。なお、スイッチ７０３、メモリＡ７０４及びメモリＢ７０５は、図６におけるスイッチ６０３、メモリＡ６０４及びメモリＢ６０５と同様に機能する。また、メモリ７０４＿１〜７０４＿４及びメモリ７０５＿１〜７０５＿４は図６におけるメモリ６０４＿１〜６０４＿４及び６０５＿１〜６０５＿４と同様に機能する。
本発明において、背景画像または表示画像の輝度を切り換える手段は本実施例に限定されるものではなく、他の手段を用いて輝度を切り換えても、問題はない。
【実施例３】
【００３６】
本発明の実施例について、図面を用いて説明する。本実施例では、表示画面を有し、さらに光センサを基板上に形成した表示パネルの構成について詳細に説明する。
【００３７】
図８（Ａ）は、基板８００上に駆動用トランジスタ８０１、第１の電極（画素電極）８０２、発光層８０３及び透光性材料により形成された第２の電極（対向電極）８０４が設けられている。発光素子８２５は上方に発光する。そして、第２の電極８０４上に形成された絶縁膜８１２上に、Ｐ型層８３１、Ｉ型（真性）層８３２及びＮ型層８３３の積層体からなる光電変換素子８３８と、Ｐ型層８３１に接続された電極８３０、Ｎ型層８３３に接続された電極８３４が設けられる。
【００３８】
本実施例では光センサとして光電変換素子８３８を用いる。発光素子８２５及び光電変換素子８３８は同一の基板８００上に形成されており、発光素子８２５から発せられる光は、映像を構成し、ユーザーが視認する。一方、光電変換素子８３８は外光を検出し、検出信号をコントローラに送る役割を持つ。このようにして、発光素子と光センサ（光電変換素子）を同一基板上に一体化でき、装置の小型化に貢献できる。
【００３９】
図１０に示すのは光センサと発光素子を同一基板上に形成したものの例である。本実施例はソース信号線駆動回路１００２、ゲート信号線駆動回路１００３、１００４、画素部１００５、光センサ１００６を同一基板１００１上に一体形成し、ＦＰＣ（フレキシブル・プリント・サーキット）１００７を貼り付けたものである。この断面図は図８に示されるが、断面形状はこの形に限られず、他の形状のものであっても良い。
【００４０】
また、同一基板上に光センサと発光素子を一体形成する方法に限らずソース信号線駆動回路１００２、ゲート信号線駆動回路１００３、１００４、光センサ１００６をＣＯＧ（チップ・オン・グラス）で貼り付けることも可能である。
本実施例は、前述の実施形態、実施例１、２と自由に組み合わせることができる。
【実施例４】
【００４１】
図５に本発明の表示装置を用いた携帯電話機の実施例を示す。図５に示す携帯電話機は第１の筐体５０１、第２の筐体５０２、第１の表示画面５０３、第２の表示画面５０４、第３の表示画面５０５、スピーカー５０６、アンテナ５０７、ヒンジ５０８、操作キー５０９、マイク５１０、バッテリー５１１、光センサ５１２、基板５２０より構成されている。図５は外光が強く背景画像が黒地になった状態を示している。図５（Ａ）は携帯電話機の内側を示しており、図５（Ｂ）は外側を示しており、図５（Ｃ）は側面を示している。本発明の表示装置は第１の筐体５０１の中に装着されている。なお、光センサ５１２と第１の表示画面５０３は基板５２０に形成されているが、同一基板上に形成されていなくてもよい。
【００４２】
また、図５において、サブディスプレイ用表示画面は２個（第２の表示画面５０４、第３の表示画面５０５）配置されているが、２個には限定されない。１個でも良いし、３個以上であっても良い。
【００４３】
図９は本実施例に用いた両面発光装置の概念を示したものである。図９では２つの透明基板９０１、９０２の間に透明電極またはそれに準ずる電極９０３〜９０５、９０９が存在し、それらの電極間に発光体９０６〜９０８を挟んでいる。透明基板９０１にはカラーフィルタ９１０〜９１２が配置され、発光体９０６〜９０８が白発光の場合には第１の発光面にはフルカラー表示が、第２の発光面には白表示が可能となる。カラーフィルタを用いずに発光体を色塗り分けしても良い、その場合第１の発光面と第２の発光面に表示できる色は同じとなる。発光体にはＥＬ素子を代表とする発光素子を用いる。このような構造をとることによって、上記の両面発光表示装置を実現する。
【００４４】
なお、両面発光装置について、図６のコントロール回路とメモリ回路を用いて映像を左右反転することが可能である。この場合、図６におけるメモリＡ６０４またはメモリＢ６０５を呼び出すときは、ディスプレイの１列ごとの信号を逆に呼び出すことによって、映像信号を左右反転することが可能となる。このようにサブフレーム変換を行う発光装置では、メモリの呼び出し順序を変えることにより、上記の両面発光の対応が可能となる。
【実施例５】
【００４５】
以上のようにして作製される表示装置は各種電子機器の表示部として用いることができる。以下に、本発明を用いて形成された表示装置を表示媒体として組み込んだ電子機器について説明する。
【００４６】
その様な電子機器としては、カメラ（ビデオカメラ、デジタルカメラ等）ゲーム機、カーナビゲーション、コンピュータ、携帯情報端末（モバイルコンピュータ、携帯電話機または電子書籍等）などが挙げられる。それらの一例を図１１に示す。
【００４７】
図１１（Ａ）はデジタルカメラであり、本体３１０１、表示部３１０２、受像部３１０３、操作キー３１０４、外部接続ポート３１０５、シャッター３１０６、音声出力部３１０７等を含む。本発明を用いて表示部３１０２を構成してデジタルカメラを完成させることができる。本発明によって、強い外光下でも視認性の高い表示部を構成することができ、ユーザーにとって使いやすいデジタルカメラを提供することができる。
【００４８】
図１１（Ｂ）はパーソナルコンピュータであり、本体３２０１、筐体３２０２、表示部３２０３、キーボード３２０４、外部接続ポート３２０５、ポインティングマウス３２０６、音声出力部３２０７等を含む。本発明を用いて表示部３２０３を構成してパーソナルコンピュータを完成させることができる。本発明によって、強い外光下でも視認性の高い表示部を構成することができ、ユーザーにとって使いやすく、目の疲労が少ないパーソナルコンピュータを提供することができる。
【００４９】
図１１（Ｃ）は携帯情報端末であり、本体３３０１、表示部３３０２、スイッチ３３０３、操作キー３３０４、赤外線ポート３３０５、音声出力部３３０６等を含む。本発明で表示部３３０２を構成して携帯情報端末を完成させることができる。本発明によって、強い外光下でも視認性の高い表示部を構成することができ、ユーザーにとって使いやすい携帯情報端末を提供することができる。
【００５０】
図１１（Ｄ）は記録媒体を備えた画像再生装置（具体的にはＤＶＤ再生装置）であり、本体３４０１、筐体３４０２、記録媒体（ＣＤ、ＬＤまたはＤＶＤ等）読込部３４０５、操作キー３４０６、音声出力部３４０７表示部Ａ３４０３、表示部Ｂ３４０４等を含む。表示部Ａは主として画像情報を表示し、表示部Ｂは主として文字情報を表示する。本発明を用いて表示部Ａ３４０３、表示部Ｂ３４０４を構成して画像再生装置を完成させることができる。本発明によって、強い外光下でも視認性の高い表示部を構成することができ、ユーザーにとって使いやすい画像再生装置を提供することができる。なお、記録媒体を備えた画像再生装置としては、ＣＤ再生装置、ゲーム機器などに本発明を用いることができる。
【００５１】
図１１（Ｅ）は折りたたみ式携帯表示装置であり、本体３５０１に表示部３５０２、音声出力部３５０３が形成されている。本発明を用いて表示部３５０２を構成して折りたたみ式携帯表示装置を完成させることができる。本発明によって、強い外光下でも視認性の高い表示部を構成することができ、ユーザーにとって使いやすい折りたたみ式携帯表示装置を提供することができる。
【００５２】
図１１（Ｆ）はベルト３６０１により人間の腕に装着することのできる携帯型情報端末であり、表示部３６０２、音声出力部３６０４、操作スイッチ３６０３が含まれている。この携帯型情報端末によれば、テレビジョン放送を受信して視聴することができる。また、表示部３６０２に日時を表示することができる。本発明を用いて表示部３６０２を構成して携帯型情報端末を完成させることができる。本発明によって、強い外光下でも視認性の高い表示部を構成することができ、ユーザーにとって使いやすい携帯型情報端末を提供することができる。
【００５３】
図１１（Ｇ）は携帯電話機であり、本体３７０１、筐体３７０２、表示部３７０３、音声入力部３７０４、アンテナ３７０５、操作キー３７０６、外部接続ポート３７０７、音声出力部３７０８などを含む。本発明を用いて表示部３７０３を構成して携帯電話機を完成させることができる。本発明によって、強い外光下でも視認性の高い表示部を構成することができ、ユーザーにとって使いやすい携帯電話機を提供することができる。
【００５４】
以上の様に、本発明の適用範囲は極めて広く、あらゆる分野の電子機器に適用することが可能である。また、本実施例の電子機器は実施例１〜４のどのような組み合わせからなる構成を用いても実現することができる。
【図面の簡単な説明】
【００５５】
【図１】（Ａ）本発明を用いた携帯電話機を示す図。（Ｂ）本発明を用いた携帯電話機を示す図。（外光強）
【図２】（Ａ）従来の携帯電話機を示す図。（Ｂ）従来の携帯電話機を示す図。（外光強）
【図３】本発明の実施形態を示す図。
【図４】（Ａ）アクティブマトリクス型発光装置の画素を示す図。（Ｂ）タイミングチャート
【図５】（Ａ）本発明を用いた両面発光携帯電話機の内側を示す図。（Ｂ）本発明を用いた両面発光携帯電話機の外側を示す図。（Ｃ）本発明を用いた両面発光携帯電話機の側面図。
【図６】コントローラのブロック図。
【図７】コントローラのブロック図。
【図８】センサを一体化した実施例を示す図。
【図９】両面発光の実施例を示す図。
【図１０】センサを一体化した実施例を示す図。
【図１１】本発明を用いた電子機器の実施例を示す図。
【符号の説明】
【００５６】
１０１  第１の筐体
１０２  第２の筐体
１０３  表示画面
１０４  スピーカー
１０５  アンテナ
１０６  ヒンジ
１０７  操作キー
１０８  マイク
１０９  光センサ
１１０  基板
２０１  第１の筐体
２０２  第２の筐体
２０３  表示部
２０４  スピーカー
２０５  アンテナ
２０６  ヒンジ
２０７  操作キー
２０８  マイク
３００  表示装置
３０１  コントローラ
３０２  メモリ
３０３  光センサ
３０４  アンプ
３０５  電源
３０６  パネル
４０１  スイッチングＴＦＴ
４０２  駆動ＴＦＴ
４０３  発光素子
４０４  保持容量
４０５  対向電極
５０１  第１の筐体
５０２  第２の筐体
５０３  第１の表示画面
５０４  第２の表示画面
５０５  第３の表示画面
５０６  スピーカー
５０７  アンテナ
５０８  ヒンジ
５０９  操作キー
５１０  マイク
５１１  バッテリー
５１２  光センサ
５２０  基板
６０１  ディスプレイ
６０２  コントロール回路
６０３  スイッチ
６０４  メモリＡ
６０４＿１  メモリ
６０４＿２  メモリ
６０４＿３  メモリ
６０４＿４  メモリ
６０５  メモリＢ
６０５＿１  メモリ
６０５＿２  メモリ
６０５＿３  メモリ
６０５＿４  メモリ
６０６  スイッチ
７０１  ディスプレイ
７０２  コントロール回路
７０３  スイッチ
７０４  メモリＡ
７０４＿１  メモリ
７０４＿２  メモリ
７０４＿３  メモリ
７０４＿４  メモリ
７０５  メモリＢ
７０５＿１  メモリ
７０５＿２  メモリ
７０５＿３  メモリ
７０５＿４  メモリ
７０６  映像信号選択スイッチ
７０７  スイッチ
８００  基板
８０１  駆動用トランジスタ
８０２  第１の電極
８０３  発光層
８０４  第２の電極
８１２  絶縁膜
８２５  発光素子
８３０  電極
８３１  Ｐ型層
８３２  Ｉ型層
８３３  Ｎ型層
８３４  電極
８３８  光電変換素子
９０１  透明基板
９０２  透明基板
９０３  電極
９０４  電極
９０５  電極
９０６  発光体
９０７  発光体
９０８  発光体
９０９  電極
９１０  カラーフィルタ
９１１  カラーフィルタ
９１２  カラーフィルタ
１００１  基板
１００２  ソース信号線駆動回路
１００３  ゲート信号線駆動回路
１００４  ゲート信号線駆動回路
１００５  画素部
１００６  光センサ
１００７  ＦＰＣ
３１０１  本体
３１０２  表示部
３１０３  受像部
３１０４  操作キー
３１０５  外部接続ポート
３１０６  シャッター
３１０７  音声出力部
３２０１  本体
３２０２  筐体
３２０３  表示部
３２０４  キーボード
３２０５  外部接続ポート
３２０６  ポインティングマウス
３２０７  音声出力部
３３０１  本体
３３０２  表示部
３３０３  スイッチ
３３０４  操作キー
３３０５  赤外線ポート
３３０６  音声出力部
３４０１  本体
３４０２  筐体
３４０３  表示部Ａ
３４０４  表示部Ｂ
３４０５  記録媒体読込部
３４０６  操作キー
３４０７  音声出力部
３５０１  本体
３５０２  表示部
３５０３  音声出力部
３６０１  ベルト
３６０２  表示部
３６０３  操作スイッチ
３６０４  音声出力部
３７０１  本体
３７０２  筐体
３７０３  表示部
３７０４  音声入力部
３７０５  アンテナ
３７０６  操作キー
３７０７  外部接続ポート
３７０８  音声出力部
【図１】
2006091857.tif 000003
【図２】
2006091857.tif 000004
【図３】
2006091857.tif 000005
【図４】
2006091857.tif 000006
【図５】
2006091857.tif 000007
【図６】
2006091857.tif 000008
【図７】
2006091857.tif 000009
【図８】
2006091857.tif 000010
【図９】
2006091857.tif 000011
【図１０】
2006091857.tif 000012
【図１１】
2006091857.tif 000013